(57)【要約】【課題】購買証明券（タグ）の偽造の問題や、景品盗難に対処し、且つ商品本体に景品を取り付ける手数、又は取り外しの手数を排除して商品陳列の本来の姿を回復するための景品ディスペンサーを提供する。【解決手段】景品を収容した景品ストッカーと、タグ投入口３と、共振タグリーダー７と、判定回路と、を有し、タグ投入口３に投入された景品引換券に内蔵されている共振タグに対して共振タグリーダー７から電波を発し、共振タグがどの電波に共振したかを検知して、判定回路において判定を行い、その判定結果に応じて景品を排出するように構成したことを特徴とする。【選択図】図１
2009080748.tif 000002
【特許請求の範囲】
【請求項１】
景品を収容した景品ストッカーと、タグ投入口と、共振タグリーダーと、判定回路と、を有し、
前記タグ投入口に投入された景品引換券に内蔵されている共振タグに対して前記共振タグリーダーから電波を発し、当該共振タグが共振するか否かにより、前記判定回路において判定を行い、その判定結果に応じて景品を排出するように構成したことを特徴とする景品ディスペンサー。
【請求項２】
前記共振タグリーダーが複数備えられ、それらの共振タグリーダーの配置間隔が５ｃｍ前後に設定されていることを特徴とする、請求項１に記載の景品ディスペンサー。
【発明の詳細な説明】
【技術分野】
【０００１】
本発明は、特定の商品の販売に付随して配られる景品、販促品、プレミアムグッズ（以下、単に「景品」と言う。）を、対象となる商品の購買者等に手渡すための装置に関する。
【背景技術】
【０００２】
従来より、商品の販売促進等を目的として、対象商品のパッケージに景品を取り付けて販売することが行われている。対象商品のパッケージに景品を直接取り付けようとする場合、当然のことながら「取り付けの手間」が問題となる。より具体的には、人手により一つの商品に一つの景品を添付して、販売促進企画が終了すると売れ残ったものを再び人手により添付した景品を外さなければならない。更にこれらの景品を添付された対象商品は通常の陳列棚、または陳列ケースに展示される時大きく美観をそこない、整列も困難になる。
【０００３】
一方、景品を顧客へ配布しようとする場合には、通常、対象商品に直接取り付けるのではなく、例えば、「バーコードを印刷した応募シール」などのように、対象商品を購入したことを証明できるような平面的な媒体（証票）を対象商品に製造工程上にて取り付けておき、それらを顧客に郵送させ、抽選のうえ、当選者にのみ当該景品を送り届けるという方法などが実施されている。
【発明の開示】
【発明が解決しようとする課題】
【０００４】
上述の通り、景品を対象商品に直接取り付けようとする場合、取り付け、取り外しに手間がかかるという問題があり、また、あまり高価なもの（プレミアム的な価値の高いもの）を取り付けると、盗難の危険性が高くなってしまうという問題がある。
【０００５】
また、「応募シール」等を使う場合、印刷技術が発達した昨今では、偽造の問題に対処する必要があるほか、顧客においては、応募シールを集めたり、台紙に貼ったり、郵送するといった手間がかかり、結構面倒であるため、気軽に対応できないという問題がある。
【０００６】
本発明は、このような従来の問題を解決すべくなされたものであって、高価な景品、或いは、プレミアム的な価値が高い景品であっても、陳列時の問題、盗難の問題、或いは、偽造の問題に対して好適に対処することができる景品ディスペンサーを提供することを目的とする。
【課題を解決するための手段】
【０００７】
本発明の景品ディスペンサーは、景品を収容した景品ストッカーと、タグ投入口と、共振タグリーダーと、判定回路と、を有し、タグ投入口に投入された景品引換券に内蔵されている共振タグに対して共振タグリーダーから電波を発し、当該共振タグが共振するか否かにより、判定回路において判定を行い、その判定結果に応じて景品を排出するように構成したことを特徴としている。
【０００８】
尚、共振タグリーダーを複数備える場合には、それらの共振タグリーダーの配置間隔を５ｃｍ前後に設定することが好ましい。
【発明の効果】
【０００９】
本発明によれば、景品を対象商品とともに陳列しなくて済むため、対象商品よりも大きなものであっても問題なく景品として採用することができ、また、共振タグを内蔵した景品引換券は、極めて薄く、小さく形成することができるため、シュリンク包装等の手段により、対象商品に対してしっかりと固定することができ、高価なもの、或いは、プレミアム的な価値が高いものを景品として採用する場合であっても、盗難の問題を好適に防止することができる。
【００１０】
また、共振タグは、容易には複製することができないため、偽造の問題についても、好適に対処することができる。
【発明を実施するための最良の形態】
【００１１】
以下、添付図面に沿って、本発明を実施するための最良の形態について説明する。図１は、本発明に係る景品ディスペンサー１の斜視図である。この図において、２は筐体、３はタグ投入口、４は景品取出口、５はレバーである。筐体２内には、四つの景品ストッカー（図示せず）が配置されており、四種類の景品（一等〜四等）が、各景品ストッカーの内側においてそれぞれ積み上げられた状態で保管されている。また、景品取出口４の上方には、レバー５の操作によって開閉するゲート（図示せず）が配置されている。
【００１２】
景品を受け取ろうとする者（顧客）が、タグ投入口３から景品引換券を投入すると、景品ディスペンサー１において、投入された景品引換券が「当たり」であるか「はずれ」であるかが判定される。
【００１３】
「当たり」であると判定された場合、景品ストッカーの最下段にある景品が、ロッド（電磁ソレノイド式アクチュエータから駆動力を受けて回動する）によって弾き出され、景品ストッカーからゲート上へ落下する。ここで、顧客がレバー５を手前側に引っ張ると、ゲートが開き、景品ストッカーからゲート上に落下した景品が、更に落下して景品取出口に出現し、顧客において取り出し可能な状態となる。
【００１４】
一方、「はずれ」であると判定された場合、筐体２に取り付けられているランプ（図示せず）が数秒間にわたって点灯（或いは点滅）し、又は、音声情報により、景品引換券を投入した顧客に対して、「はずれ」である旨が告知される。
【００１５】
本実施形態の景品ディスペンサー１においては、「当たり」か「はずれ」かの判定は、共振タグリーダーと判定回路（ＩＣ）によって行われるようになっている。より具体的に説明すると、図１に示した景品ディスペンサー１の筐体２内には、図２に示すように、所定角度に傾斜させた状態で固定された景品引換券用シュート６、及び、共振タグリーダー７（第１の共振タグリーダー７ａ、第２の共振タグリーダー７ｂ）が配置されており、顧客が景品引換券をタグ投入口３から投入した場合、景品引換券は、このシュート６の滑走面６ａ上を滑り降りて行き、最終的には、景品引換券回収ボックス（図示せず）内に落下し、収容されることになる。
【００１６】
シュート６の裏面側には、第１の共振タグリーダー７ａ、及び、第２の共振タグリーダー７ｂが固定されている。第１の共振タグリーダー７ａ内には、二種類のアンテナエレメントＡ，Ｂ（図示せず）が備えられており、第２の共振タグリーダー７ｂ内にも、二種類のアンテナエレメントＣ，Ｄ（図示せず）が備えられている。アンテナエレメントＡ〜Ｄは、いずれも長さが異なっており、それぞれ異なる波長の電波ａ〜ｄを発するようになっている。
【００１７】
尚、第１の共振タグリーダー７ａと、第２の共振タグリーダー７ｂとは、５ｃｍの間隔を置いて配置されている。間隔が狭い場合、読み取りエラーが発生することがあるが、５ｃｍ以上の間隔を置いて配置することにより、かかるエラー発生の頻度を実用レベルまで低減することができる。
【００１８】
顧客によって投入される景品引換券には、共振タグが内蔵されている。本実施形態においては、景品引換券は四種類（ア〜エ）準備され、特定の商品のパッケージ（例えば、清涼飲料水の本体）に取り付けられ、当該商品が販売されることによって顧客に配布される。
【００１９】
尚、景品引換券アには、電波ａを受けて共振する共振タグが内蔵され、景品引換券イには、電波ｂを受けて共振する共振タグが内蔵され、景品引換券ウには、電波ｃを受けて共振する共振タグが内蔵され、景品引換券エには、電波ｄを受けて共振する共振タグが内蔵されている。
【００２０】
顧客が、図１に示すタグ投入口３に景品引換券アを投入した場合、景品引換券アは、図２に示すシュート６の滑走面６ａ上を滑り降りて行くことになり、その際、第１の共振タグリーダー７ａ内のアンテナエレメントＡ，Ｂ、及び、第２の共振タグリーダー７ｂ内のアンテナエレメントＣ，Ｄからそれぞれ発せられた電波ａ〜ｄを受ける。このとき、景品引換券アには、電波ａを受けて共振する共振タグが内蔵されているので、電波ａを発するアンテナエレメントＡが備えられている第１の共振タグリーダー７ａ上を通過する際に共振するとともに、当該共振タグが電波ａを受けて共振した旨が判定回路（図示せず）によって検知される。
【００２１】
同様に、顧客が景品引換券イ（又は、ウ、或いは、エ）を投入した場合、景品引換券イ（又は、ウ、或いは、エ）は、シュート６の滑走面６ａ上を滑り降りて行く際、第１の共振タグリーダー７ａ内のアンテナエレメントＢ（又は、第２の共振タグリーダー７ｂ内のアンテナエレメントＣ、又は、Ｄ）から発せられた電波ｂ（又は、ｃ、或いは、ｄ）を受けて共振するとともに、当該共振タグが電波ｂ（又は、ｃ、或いは、ｄ）を受けて共振した旨が判定回路によって検知される。
【００２２】
投入された共振タグが電波ａを受けて共振し、これが判定回路によって検知された場合（即ち、景品引換券アがタグ投入口３から投入された旨が検知された場合）、何等であるか判定されて、該当の景品を収容する景品ストッカーからその景品が弾き出され、景品取出口に出現する。
【００２３】
同様に、投入された共振タグが電波ｂ（又は、ｃ、或いは、ｄ）を受けて共振し、これが判定回路によって検知された場合（即ち、景品引換券イ（又は、ウ、或いは、エ）がタグ投入口３から投入された旨が検知された場合）、何等であるかが判定され、二等（又は、三等、或いは、四等）の景品を収容する景品ストッカーから二等（又は、三等、或いは、四等）の景品が弾き出され、景品取出口に出現する。
【００２４】
尚、本実施形態においては、波長が異なる四種類の電波が、投入された景品引換券に対して発せられるように構成されている（即ち、共振タグリーダー内に四種類のアンテナエレメントが備えられている）が、必ずしもこの数には限定されるものではなく、一種類の電波のみが、又は、十六種類或いはそれ以上の種類の電波が発せられるように構成することもできる。また、取り扱われる景品の種類及びその数についても、何ら限定されるものではなく、任意に設定することができる。
【図面の簡単な説明】
【００２５】
【図１】本発明に係る景品ディスペンサー１の斜視図。
【図２】図１の景品ディスペンサー１内に備えられているシュート６及び共振タグリーダー７の斜視図。
【符号の説明】
【００２６】
１：景品ディスペンサー、
２：筐体、
３：タグ投入口、
４：景品取出口、
５：レバー、
６：シュート、
６ａ：滑走面、
７：共振タグリーダー、
７ａ：第１の共振タグリーダー、
７ｂ：第２の共振タグリーダー
【図１】
2009080748.tif 000003
【図２】
2009080748.tif 000004